(57)【要約】【課題】利用者が電話機を手に取り電話機のボタンを押す前の状態を検出し、快適に使用できるコードレス電話機を提供する。【解決手段】筐体に人体との接触を検知するタッチセンサを複数配置し、予め定めた組み合わせの前記タッチセンサが検知状態になったとき、親機または基地局との無線通信を開始するコードレス電話機により、達成できる。タッチセンサは、筐体の側面に設けられていると好ましい。また、親機または基地局との無線通信を開始した後、予め定めた組み合わせの前記タッチセンサが検知状態を継続し、しかも他の前記タッチセンサが検知/非検知を繰り返したとき、オフフック状態に遷移すると更に好ましい。【選択図】図１
2008079019.tif 000002
【特許請求の範囲】
【請求項１】
無線通信により親機または基地局と通信し、筐体を有するコードレス電話機において、
前記筐体に人体との接触を検知するタッチセンサを複数配置し、
予め定めた組み合わせの前記タッチセンサが検知状態になったとき、前記親機との無線通信を開始することを特徴とするコードレス電話機。
【請求項２】
請求項１に記載のコードレス電話機であって、
前記タッチセンサは、前記筐体の側面に設けられていることを特徴とするコードレス電話機。
【請求項３】
請求項１または請求項２に記載のコードレス電話機であって、
前記親機または前記基地局との無線通信を開始した後、予め定めた組み合わせの前記タッチセンサが検知状態を継続し、しかも他の前記タッチセンサが検知/非検知を繰り返したとき、オフフック状態に遷移することを特徴とするコードレス電話機。
【発明の詳細な説明】
【技術分野】
【０００１】
本発明は、コードレス電話機に係り、特に事前無線接続機能を有するコードレス電話機に関する。
【背景技術】
【０００２】
コードレス電話機は、一般的に、通話ボタンを押してから使用できるまでに数秒かかる。そのため、充電器等の専用台から取り上げたときは通話ボタンを押さなくとも自動でオフフックする。この自動オフフックは、利用者にとってレスポンスよく電話を使用できる機能であり、多くのコードレス電話機にて採用されている（例えば、特許文献１）。
【０００３】
他人が保留した回線をコードレス電話機で受ける口頭転送（○○さ〜ん、外線３番に△△商事さんからお電話です）の場合、一度通話ボタンを押し、無線接続が確立した後、回線状態表示部に示された保留中の回線を確認し、回線ボタンを押下して通話を行う。しかし、無線接続されるまでの時間が１〜２秒かかってしまう。有線電話機であれば、保留中の回線ボタンを押し、受話器を持ち上げた瞬間に保留されていた相手と会話ができるため、この約２秒程度の差ですらストレスを被転送者（着呼者）に与える。
【０００４】
【特許文献１】特開平０７−０５０７０９号公報
【発明の開示】
【発明が解決しようとする課題】
【０００５】
コードレス電話の特徴上、利用者が持ち運んだ先にて使用し、そのまま机の上等に置いておかれることも多い。その場合、自動オフフック機能を利用することができず、不便であった。
逆に、自動でオフフックしてしまうと、利用者の意図しない回線と接続されることもあった。
【０００６】
本発明は、利用者が電話機を手に取り電話機のボタンを押す前の状態を検出し、快適に使用できるコードレス電話機を提供する。
【課題を解決するための手段】
【０００７】
上記課題は、筐体に人体との接触を検知するタッチセンサを複数配置し、予め定めた組み合わせの前記タッチセンサが検知状態になったとき、親機または基地局との無線通信を開始するコードレス電話機により、達成できる。
【発明の効果】
【０００８】
本発明に拠れば、利用者が電話機を手に取り電話機のボタンを押す前の状態を検出し、快適に使用できるコードレス電話機を提供することができる。
【発明を実施するための最良の形態】
【０００９】
以下、本発明の実施の形態について、実施例を用い図１ないし図７を参照して説明する。なお、同一部位には同じ参照番号を振り、説明は繰り返さない。ここで、図１はコードレス電話の斜視図である。図２はコードレス電話の機能ブロック図である。図３は利用者がコードレス電話機を手に取り、電話機側面のタッチセンサに触れている状態を説明する斜視図である。図４は保留されている回線と通話するためにタッチパターンを入力している状態を説明する斜視図である。図５は着信時における動作を説明するフローチャートである。図６は発信時における動作を説明するフローチャートである。図７は保留応答時における動作を説明するフローチャートである。
【００１０】
図１において、コードレス電話機１０は、筐体内に電波を送受信するためのアンテナ１７、回線状態の表示とともに、それ自体が回線選択キーになっている回線状態表示部１２、通話、切断、機能選択のための十字キーおよび電話番号、文字入力のためのテンキーを備えたキー部１３、電話番号や情報等の画面を表示するＬＣＤ表示部１１、マイク、レシーバ等の音声入出力部２４、そして、コードレス電話機の側面にそれぞれ２箇所上下方向に配置され、利用者の手の接触を感知するタッチセンサ１５を有する。
【００１１】
図２において、コードレス電話機１０は、さらに電話機全体を制御する制御部２２を含み、ＬＣＤ表示部１１、回線状態表示部１２、キー部１３、音声入出力部２４は、制御部２２と接続されている。また、アンテナ１７は、無線通信を行う無線送受信部２３を介して、タッチセンサ１５は、タッチセンサ制御部２１を介して、制御部２２と接続されている。
【００１２】
タッチセンサ制御部２１は、４箇所のタッチセンサ１５の検知ＯＮ/ＯＦＦを継続的に把握する。タッチセンサ制御部２１は、所定のグリップパターン（両側面の予め定めた組み合わせのタッチセンサがＯＮ）か判定し、所定のグリップパターンと同時に所定のタッチパターン（いずれかのタッチセンサのＯＮ/ＯＦＦの繰り返し）が入力されたか判定する。さらに、タッチセンサ制御部２１は、所定のグリップパターンになって以降の時間を測定する。タッチセンサ制御部２１は、また、全てのタッチセンサ１５がＯＦＦになって以降の時間を測定する。これらの判定/測定結果は、制御部２２に引き渡される。なお、タッチパターンは、予め固定パターンを設定するか、学習設定（バックプロパゲーション）学習しておく。
【００１３】
図３において、利用者の手５０が、コードレス電話機１０側面に２箇所ずつ設置されたタッチセンサ１５の予め定めた組み合わせがＯＮとなると、コードレス電話機１０は、利用者がコードレス電話機１０を使用するために手に取ったと判断し、通信プログラムを起動し無線接続を開始する。
【００１４】
このとき、タッチセンサが片側面のみに反応しても、これは利用者が手に取ったとは判断せず、待機状態を継続する。これにより、不用意に電波を発射しない機能を有する。
【００１５】
図４において、保留されている回線が１回線のみの場合は回線選択ボタンを押さなくともタッチセンサ部を特定のパターンで触れればその回線と通話することができる。図４に示すように、コードレス電話機１０を利用者が持つと、親指以外の四指で片側、拇指球で片側を保持できるので、親指は自由に動かすことが可能である。
【００１６】
コードレス電話機を手５０に持った状態では４箇所あるすべてのセンサーと手が接触する。この状態で、センサーの一つを予め定めたのパターン（トン、トトン）にて触れると、コードレス電話機１０は、保留された回線と接続する。これにより、回線キーを確認して押下する必要がなくなり、利便性が高い。なお、検出は予め定めた組み合わせの２箇所のセンサーに触れた状態で、１箇所でパターンを入力したときに有効とする。これにより、左右どちらの手でもいかなる向きで操作しても検出可能である。また、誤検出の可能性が少ない。
なお、図４の説明では保留応答を説明したが、タッチパターンによるオフフックは、着信応答にも適用できる。
【００１７】
図５において、待受け状態において、タッチセンサの反応を監視する（Ｓ１１）。タッチセンサに反応があったとき（Ｙｅｓ）、所定のグリップパターンか判定する（Ｓ１２）。ここでは、所定のグリップパターンとは、例えばコードレス電話機の両側面の各一つ以上のタッチセンサが反応した状態である。所定のグリップパターンは、タッチセンサの組み合わせや接触圧で定義しても良い。ステップ１２がＮｏならばステップ１１に戻り、Ｙｅｓならば通信プログラムを起動し、親機との間の無線通信を確立する（Ｓ１３）。次に、コードレス電話機１０は、回線状態を表示する（Ｓ１４）。コードレス電話機１０は、キー入力有無を監視する（Ｓ１５）。キー入力があるとき、利用状態に遷移する。なお、ここで利用状態とは、コードレス電話機１０が待受け状態を脱したことを意味し、特定の状態ではない。
【００１８】
ステップ１５でキー入力が無いとき（Ｎｏ）、コードレス電話機１０は、所定のタッチパターンが入力されているか判定する（Ｓ１６）。Ｙｅｓならば、コードレス電話機１０は、通話キー押下（オフフック）処理を実施し（Ｓ１８）、利用状態に遷移する。ステップ１６がＮｏならば、コードレス電話機１０は、ステップ１２から一定時間（ここでは３０秒としている）経過したか判定する（Ｓ１７）。Ｎｏならばステップ１５に戻り、Ｙｅｓならば無線通信を切断する（Ｓ２１）。ステップ２１が誤動作であったことに備え、コードレス電話機１０は、キー入力を監視し（Ｓ２２）、キー入力があれば利用状態に遷移する。ステップ２２がＮｏならば、コードレス電話機１０は、タッチセンサの反応を確認する（Ｓ２３）。いずれかタッチセンサの反応があるとき、コードレス電話機１０は、ステップ２２に遷移する。ステップ２３がＮｏのとき、コードレス電話機１０は、すべてのタッチセンサの反応が無くなって一定時間（ここでは６０秒としている）経過したか判定する（Ｓ２４）。Ｎｏならばステップ２２に戻り、Ｙｅｓならばステップ１１に戻る。
【００１９】
本実施例に拠れば、利用者がコードレス電話を取り上げた時点で、無線通信を確立するので、すばやく電話を受けることができる。また、着呼応答が誤検出であった場合にも、無線接続状態にて一定時間(３０秒)待機した後、無線を切断し、誤検出状態に遷移する。この状態に遷移すると、６０秒間非接触状態を保持しない限り待機状態に遷移しない。これにより、コードレス電話機を手に持って移動する場合や、用途外で電話機をいじる癖を持った人が使用しても必要以上に電波を発射しない。なお、誤検出状態においても、タッチセンサの反応に関わらずキー操作で（オフフックした場合）通常に使用できる。
【００２０】
図６において、ステップ３１〜３４およびステップ４２〜４４は、図５のステップ１１〜１４およびステップ２２〜２４と同様なので、ステップ３５、３７、４１のみ説明する。
【００２１】
ステップ３４で回線状態を表示した後、コードレス電話機１０は、キー入力があるか判定する（Ｓ３５）。Ｙｅｓならば利用状態に遷移する。ステップ３５がＮｏならば、コードレス電話機１０は、ステップ３２から３０秒経過したか判定する（Ｓ３７）。Ｎｏならばステップ３５に戻り、Ｙｅｓならば無線通信を切断する（Ｓ４１）。
本実施例に拠れば、利用者がコードレス電話機１０を取り上げた時点で、無線通信を確立するので、すばやく発呼することができる。
【００２２】
図７において、ステップ５１〜５４およびステップ６２〜６４は、図５のステップ１１〜１４およびステップ２２〜２４と同様なので、ステップ５５〜５８、６１のみ説明する。なお、図７の説明では、保留されている回線は１回線のみとする。
【００２３】
ステップ５４で回線状態を表示した後、コードレス電話機１０は、キー入力があるか判定する（Ｓ５５）。Ｙｅｓならば利用状態に遷移する。ステップ５５がＮｏならば、コードレス電話機１０は、所定のタッチパターンが入力されているか判定する（Ｓ５６）。Ｙｅｓならば、コードレス電話機１０は、当該回線キー押下処理を実施し（Ｓ５８）、利用状態に遷移する。ステップ５６がＮｏならば、コードレス電話機１０は、ステップ５２から３０秒経過したか判定する（Ｓ５７）。Ｎｏならばステップ５５に戻り、Ｙｅｓならば無線通信を切断する（Ｓ６１）。
【００２４】
本実施例に拠れば、利用者がコードレス電話を取り上げた時点で、無線通信を確立するので、すばやく保留応答することができる。
図７では、保留されている回線は１回線のみとしたが、複数のタッチパターンを回線番号に対応して登録することも可能である。
【００２５】
本明細書において、コードレス電話機は、アナログコードレス電話機、デジタルコードレス電話機、コードレス送受話器等を含み、これらに限られない。
例えば、コードレス電話機は、移動体無線網の基地局と無線接続されるいわゆる携帯電話であっても良い。
【００２６】
以上のように本実施例に拠れば、利用者が電話機を使用しようとして電話機に触れた瞬間から無線接続を開始することで利用者の動作に備え、有線電話機に近いレスポンスを得ることができる。
【００２７】
また、電話機に備えられたタッチセンサにタッチするパターンにより、回線ボタンを押下することなく該当回線と接続することができる。
【００２８】
さらに、コードレス電話機をどこに置いた状態でもレスポンス良く使用することができ、また、口頭転送された回線に応答するときも簡単な操作で応答することが可能である。
【図面の簡単な説明】
【００２９】
【図１】コードレス電話の斜視図である。
【図２】コードレス電話の機能ブロック図である。
【図３】利用者がコードレス電話機を手に取り、電話機側面のタッチセンサに触れている状態を説明する斜視図である。
【図４】保留されている回線と通話するためにタッチパターンを入力している状態を説明する斜視図である。
【図５】着信時における動作を説明するフローチャートである。
【図６】発信時における動作を説明するフローチャートである。
【図７】保留応答時における動作を説明するフローチャートである。
【符号の説明】
【００３０】
１０…コードレス電話機、１１…ＬＣＤ表示部、１２…回線状態表示、回線選択キー部、１３…キー部、１５…タッチセンサ部、１７…アンテナ、２１…タッチセンサ制御部、２２…制御部、２３…無線送受信部、２４…音声入出力部、５０…利用者の手。
【図１】
2008079019.tif 000003
【図２】
2008079019.tif 000004
【図３】
2008079019.tif 000005
【図４】
2008079019.tif 000006
【図５】
2008079019.tif 000007
【図６】
2008079019.tif 000008
【図７】
2008079019.tif 000009